(57)【要約】サウンディング参照信号伝送を制御するためのシステムおよび方法を提供する。ユーザ機器が、アップリンクデータ伝送に先立ちサウンディング参照信号を伝送し始め、次いで、アップリンクデータ伝送の完了後にサウンディング参照信号の伝送を中断する。一実施形態において、ユーザ機器におけるアップリンク参照信号伝送の方法は、アップリンクデータの伝送に先立ちアップリンク参照信号伝送を開始することと、アップリンク参照信号伝送を開始した後にアップリンクデータを伝送することと、該アップリンクデータの伝送の完了までアップリンク参照信号伝送を継続することとを含む。
2011520313.tif 000002
【特許請求の範囲】
【請求項１】
ユーザ機器におけるアップリンク参照信号伝送の方法であって、
アップリンクデータの伝送に先立ちアップリンク参照信号伝送を開始することと、
アップリンク参照信号伝送を開始した後にアップリンクデータを伝送することと、
該アップリンクデータの伝送の完了までアップリンク参照信号伝送を継続することと
を含む、方法。
【請求項２】
オン期間およびオフ期間を有するように、前記ユーザ機器の中の受信機を制御することと、
アップリンクデータを伝送するためにアップリンク伝送リソースの要求を伝送することと
をさらに含み、該アップリンク伝送リソースの要求を伝送すること、および前記アップリンクデータを伝送することは、両方とも該受信機のオンおよびオフ期間に関係なく行われる、請求項１に記載の方法。
【請求項３】
前記アップリンク伝送リソースの要求を伝送することと、前記受信機のオンおよびオフ期間に関係なくアップリンクデータを伝送することとが可能となるように前記ユーザ機器を構成する信号伝達を受信することをさらに含む、請求項２に記載の方法。
【請求項４】
利用可能な一式のアップリンク参照信号伝送機会の定義を維持することをさらに含み、
前記アップリンクデータの伝送の完了までアップリンク参照信号伝送を継続することは、アップリンクデータ伝送中に発生する利用可能な一式のアップリンク参照信号伝送機会のうちの最後のアップリンク参照信号伝送機会までアップリンク参照信号伝送を伝送することと、次いで、アップリンク参照信号伝送を中断することとを含む、請求項１−３のうちのいずれか１項に記載の方法。
【請求項５】
利用可能な一式のアップリンク参照信号伝送機会の定義を維持することと、
アップリンク伝送に関して少なくとも１つの再伝送を行うことと
をさらに含み、前記アップリンクデータの伝送の完了までアップリンク参照信号伝送を継続することは、アップリンク伝送に関する少なくとも１つの再伝送中に発生する利用可能な一式のアップリンク参照信号伝送機会のうちの最後のアップリンク参照信号伝送機会までアップリンク参照信号伝送を伝送することと、次いで、アップリンク参照信号伝送を中断することとを含む、請求項１−３のうちのいずれか１項に記載の方法。
【請求項６】
利用可能な一式のアップリンク参照信号伝送機会の定義を維持することをさらに含み、
前記アップリンクデータの伝送の完了までアップリンク参照信号伝送を継続することは、アップリンクデータ伝送中に発生する利用可能な一式のアップリンク参照信号伝送機会のうちの最後のアップリンク参照信号伝送機会までアップリンク参照信号伝送を伝送することと、次いで、アップリンク参照信号伝送を中断することとを含み、
前記方法はさらに、
アップリンク伝送に関して再伝送を行うことと、
再伝送に先立ちアップリンク参照信号伝送を開始することと、
再伝送の完了まで、アップリンク参照信号伝送を継続することと
を含む、請求項１−３のうちのいずれか１項に記載の方法。
【請求項７】
アップリンクデータ伝送を行うためにアップリンクリソースの付与を示す信号伝達を受信することと、
信号伝達を受信した後に非活動タイマを起動することと
をさらに含み、前記アップリンクデータの伝送の完了までアップリンク参照信号伝送を継続することは、非活動タイマが期限切れになるまでアップリンク参照信号伝送を継続することと、次いで、アップリンク参照信号伝送を中断することとを含む、請求項１−３のうちのいずれか１項に記載の方法。
【請求項８】
前記アップリンクデータの受信の開始後の次の利用可能な機会に、割り当てられたスケジューリング要求チャネル割当を用いて、該アップリンクデータを伝送するためにアップリンク伝送リソースの要求を伝送することをさらに含む、請求項１−７のうちのいずれか１項に記載の方法。
【請求項９】
利用可能な一式のアップリンク参照信号伝送機会の定義を維持することと、
アップリンクデータを伝送するためにアップリンク伝送リソースの要求を伝送することと
をさらに含み、前記アップリンクデータの伝送に先立ちアップリンク参照信号伝送を開始することは、アップリンク伝送リソースの要求を伝送した直後に発生する利用可能な一式のアップリンク参照信号伝送機会のうちの最初のアップリンク参照信号伝送機会に、アップリンク参照信号伝送を開始することを含む、請求項１−３、７のうちのいずれか１項に記載の方法。
【請求項１０】
前記アップリンクデータを伝送するためにアップリンク伝送リソースの要求を伝送することは、以前に割り当てられた半持続的リソースを用いて、アップリンク伝送の要求を伝送することを含む、請求項９に記載の方法。
【請求項１１】
前記アップリンクデータを伝送するためにアップリンク伝送リソースの要求を伝送することは、競合ベースのアクセスチャネルを用いて、アップリンク伝送の要求を伝送することを含む、請求項９に記載の方法。
【請求項１２】
アップリンクタイミング整合およびアップリンクチャネル品質評価のための参照信号伝送を伝送することをさらに含む、請求項１−１１のうちのいずれか１項に記載の方法。
【請求項１３】
アップリンクタイミング整合のための参照信号伝送機会およびアップリンクチャネル品質評価のための参照信号伝送機会を割り付ける信号伝達を受信することと、
該信号伝達に従ってアップリンクタイミング整合のための参照信号伝送を伝送することと、
該信号伝達に従ってアップリンクチャネル品質評価のための参照信号伝送を伝送することと
をさらに含み、該信号伝達に従ってアップリンクタイミング整合のための参照信号伝送を伝送することと、該信号伝達に従ってアップリンクチャネル品質評価のための参照信号伝送を伝送することとは、アップリンクチャネル品質評価のための参照信号伝送機会と一致するアップリンクタイミング整合のための任意の参照信号伝送機会に対し、アップリンクタイミング整合およびアップリンクチャネル品質評価の両方のための単一の参照信号伝送を伝送することを含む、請求項１２に記載の方法。
【請求項１４】
チャネル品質評価およびタイミング整合の一方または両方に利用可能となる参照信号伝送機会の定義を含む信号伝達を受信することであって、前記情報は、チャネル品質評価のための参照信号の伝送の最小期間、および／またはタイミング整合のための参照信号の伝送の最小期間を識別する、ことと、
可能な時はいつでも、単一の参照信号がチャネル品質評価およびタイミング整合の両方のために送信されるように、該伝送機会の定義に従い、かつ該最小期間を条件として参照信号伝送を伝送することと
をさらに含む、請求項１２に記載の方法。
【請求項１５】
各参照信号は、サウンディング参照信号である、請求項１−１４のうちのいずれか１項に記載の方法。
【請求項１６】
アップリンクデータの伝送に先立ちアップリンク参照信号伝送を開始することと、
アップリンク参照信号伝送を開始した後にアップリンクデータを伝送することと、
該アップリンクデータの伝送の完了までアップリンク参照信号伝送を継続することと
を含む、方法を実装するために、その上に記憶されたコンピュータ実行可能命令を有するコンピュータ可読媒体。
【請求項１７】
受信モジュールと、
アップリンクデータの伝送に先立ちアップリンク参照信号を生成し始め、該アップリンクデータの伝送の完了までアップリンク参照信号を生成し続けるアップリンク信号生成モジュールと、
該アップリンクデータを伝送するように、および該アップリンク信号生成モジュールによって生成される該アップリンク参照信号を伝送するように構成される、伝送モジュールと
を備えている、ユーザ機器。
【請求項１８】
前記アップリンク信号生成モジュールは、アップリンクデータ伝送中に発生する利用可能な一式のアップリンク参照信号伝送機会のうちの最後のアップリンク参照信号伝送機会までアップリンク参照信号を生成し続け、次いで、アップリンク参照信号の生成を中断する、請求項１７に記載のユーザ機器。
【請求項１９】
前記アップリンク信号生成モジュールは、アップリンクデータ伝送または任意の関連再伝送中に発生する利用可能な一式のアップリンク参照信号伝送機会のうちの最後のアップリンク参照信号伝送機会までアップリンク参照信号を生成し続け、次いで、アップリンク参照信号の生成を中断する、請求項１７に記載のユーザ機器。
【請求項２０】
前記アップリンク信号生成モジュールは、非活動タイマの満了までアップリンク参照信号を生成し続ける、請求項１７に記載のユーザ機器。
【請求項２１】
ユーザ機器におけるアップリンク参照信号伝送のための方法であって、
スケジューリング要求が送信される時にオン持続時間を開始することと、
該オン持続時間中にアップリンク参照信号伝送を送信することと、
該オン持続時間の満了後に該アップリンク参照信号を中断することと
を含む、方法。
【請求項２２】
前記オン持続時間は、ＤＲＸサイクルの一部である、請求項２１に記載の方法。
【請求項２３】
前記ＤＲＸサイクルは、接続モードで発生する、請求項２２に記載の方法。
【請求項２４】
オン期間およびオフ期間を有するように前記ユーザ機器の中の受信機を制御することと、
アップリンクデータを伝送するためにアップリンク伝送リソースの要求を伝送することと
をさらに含み、該アップリンク伝送リソースの要求を伝送すること、および前記アップリンクデータを伝送することは、両方とも該受信機のオンおよびオフ期間に関係なく行われる、請求項２１−２３のうちのいずれか１項に記載の方法。
【請求項２５】
前記アップリンク伝送リソースの要求を伝送することと、前記受信機のオンおよびオフ期間に関係なくアップリンクデータを伝送することとが可能となるように前記ユーザ機器を構成する信号伝達を受信することをさらに含む、請求項２４に記載の方法。
【請求項２６】
アップリンク参照信号伝送機会の定義を維持することと、
アップリンクデータの伝送を行うことに先立ち、かつ、アップリンクデータ伝送中に発生する該アップリンク参照信号伝送機会のうちの最後のアップリンク参照信号伝送機会まで、アップリンク参照信号伝送を伝送し、次いで、アップリンク参照信号伝送を中断することと
をさらに含む、請求項２１−２４のうちのいずれか１項に記載の方法。
【請求項２７】
アップリンク参照信号伝送機会の定義を維持することと、
アップリンク伝送に関して少なくとも１つの再伝送を行うことと、
アップリンクデータの伝送を行うことに先立ち、かつ、前記アップリンク伝送に関する少なくとも１つの再伝送中に発生する該アップリンク参照信号伝送機会のうちの最後のアップリンク参照信号伝送機会まで、アップリンク参照信号伝送を伝送し、次いで、アップリンク参照信号伝送を中断することと
をさらに含む、請求項２１−２４のうちのいずれか１項に記載の方法。
【請求項２８】
アップリンク参照信号伝送機会の定義を維持することと、
アップリンクデータの伝送を行うことに先立ち、かつ、アップリンクデータ伝送中に発生する該アップリンク参照信号伝送機会のうちの最後のアップリンク参照信号伝送機会まで、アップリンク参照信号伝送を伝送し、次いで、アップリンク参照信号伝送を中断することと
をさらに含む、方法であって、
前記方法はさらに、
アップリンク伝送に関して再伝送を行うことと、
再伝送に先立ちアップリンク参照信号伝送を開始することと、
再伝送の完了まで、アップリンク参照信号伝送を継続することと
をさらに含む、請求項２１−２４のうちのいずれか１項に記載の方法。
【請求項２９】
アップリンクデータ伝送を行うためにアプリンクリソースの付与を示す信号伝達を受信することと、
該信号伝達を受信した後に非活動タイマを起動することと、
アップリンクデータ伝送を行うことに先立ち、かつ、該非活動タイマが期限切れになるまで、アップリンク参照信号伝送を継続することと、次いで、アップリンク参照信号伝送を中断することと
をさらに含む、請求項２１−２４のうちのいずれか１項に記載の方法。
【請求項３０】
次の利用可能な機会に、割り当てられたスケジューリング要求チャネル割当を用いて、アップリンクデータを伝送するためにアップリンク伝送リソースの要求を伝送することをさらに含む、請求項２１−２９のうちのいずれか１項に記載の方法。
【請求項３１】
アップリンク参照信号伝送機会の定義を維持することと、
アップリンクデータを伝送するようにアップリンク伝送リソースの要求を伝送することと、
該アップリンク伝送リソースの要求を伝送した直後に発生するアップリンク参照信号伝送機会のうちの最初のアップリンク参照信号伝送機会にアップリンク参照信号伝送を伝送することを開始することによって、アップリンクデータの伝送に先立ちアップリンク参照信号伝送を開始することと
をさらに含む、請求項２１−２４、２９のうちのいずれか１項に記載の方法。
【請求項３２】
前記アップリンクデータを伝送するためにアップリンク伝送リソースの要求を伝送することは、以前に割り当てられた半持続的リソースを使用して、アップリンク伝送の要求を伝送することを含む、請求項３１に記載の方法。
【請求項３３】
前記アップリンクデータを伝送するためにアップリンク伝送リソースの要求を伝送することは、競合ベースのアクセスチャネルを使用して、アップリンク伝送の要求を伝送することを含む、請求項３１に記載の方法。
【請求項３４】
アップリンクタイミング整合およびアップリンクチャネル品質評価のための参照信号伝送を伝送することをさらに含む、請求項２１−３３のうちのいずれか１項に記載の方法。
【請求項３５】
アップリンクタイミング整合のための参照信号伝送機会およびアップリンクチャネル品質評価のための参照信号伝送機会を割り付ける信号伝達を受信することと、
該信号伝達に従ってアップリンクタイミング整合のための参照信号伝送を伝送することと、
該信号伝達に従ってアップリンクチャネル品質評価のための参照信号伝送を伝送することと
をさらに含み、該信号伝達に従ってアップリンクタイミング整合のための参照信号伝送を伝送することと、該信号伝達に従ってアップリンクチャネル品質評価のための参照信号伝送を伝送することとは、アップリンクチャネル品質評価のための参照信号伝送機会と一致するアップリンクタイミング整合のための任意の参照信号伝送機会に対し、アップリンクタイミング整合およびアップリンクチャネル品質評価の両方のための単一の参照信号伝送を伝送することを含む、請求項３４に記載の方法。
【請求項３６】
チャネル品質評価およびタイミング整合の一方または両方に利用可能となる参照信号伝送機会の定義を含む信号伝達を受信することであって、前記情報は、チャネル品質評価のための参照信号の伝送の最小期間、および／またはタイミング整合のための参照信号の伝送の最小期間を識別する、ことと、
可能な時はいつでも、単一の参照信号がチャネル品質評価およびタイミング整合の両方のために送信されるように、該伝送機会の定義に従い、かつ、該最小期間を条件として、参照信号伝送を伝送することと
をさらに含む、請求項３４に記載の方法。
【請求項３７】
各参照信号は、サウンディング参照信号である、請求項２１−３６のうちのいずれか１項に記載の方法。
【請求項３８】
アップリンクデータの伝送に先立ちアップリンク参照信号伝送を開始することと、
アップリンク参照信号伝送を開始した後にアップリンクデータを伝送することと、
該アップリンクデータの伝送の完了までアップリンク参照信号伝送を継続することと
を含む方法を実装するために、その上に記憶されたコンピュータ実行可能命令を有するコンピュータ可読媒体。
【請求項３９】
受信モジュールと、
アップリンクデータの伝送に先立ちアップリンク参照信号を生成し始め、該アップリンクデータの伝送の完了まで該アップリンク参照信号を生成し続けるアップリンク信号生成モジュールと、
該アップリンクデータを伝送するように、および該アップリンク信号生成モジュールによって生成される該アップリンク参照信号を伝送するように構成される、伝送モジュールと
を備えている、ユーザ機器。
【請求項４０】
前記アップリンク信号生成モジュールは、アップリンクデータ伝送中に発生するアップリンク参照信号伝送機会のうちの最後のアップリンク参照信号伝送機会までアップリンク参照信号を生成し続け、次いで、アップリンク参照信号の生成を中断する、請求項３９に記載のユーザ機器。
【請求項４１】
前記アップリンク信号生成モジュールは、アップリンクデータ伝送または任意の関連再伝送中に発生するアップリンク参照信号伝送機会のうちの最後のアップリンク参照信号伝送機会までアップリンク参照信号を生成し続け、次いで、アップリンク参照信号の生成を中断する、請求項３９に記載のユーザ機器。
【請求項４２】
前記アップリンク信号生成モジュールは、非活動タイマの満了までアップリンク参照信号を生成し続ける、請求項３９に記載のユーザ機器。
【請求項４３】
元データ伝送の前から次に起こり得る任意の再伝送／ＨＡＲＱ過程の完了まで、アップリンク参照信号を伝送することを含む、方法。
【請求項４４】
元データ伝送の前から該元データ伝送の完了までアップリンク参照信号を伝送することであって、該元データ伝送の完了後にアップリンク参照信号伝送が停止される、ことと、
再伝送が必要な場合に、アップリンク参照信号伝送を、該再伝送の前に再開し、かつ、該再伝送の完了まで継続することであって、該再伝送の完了後にＳＲＳ伝送が停止される、ことと
を含む、方法。
【発明の詳細な説明】
【背景技術】
【０００１】
従来の無線電気通信システムでは、基地局における伝送機器が、セルとして知られている地理的領域の全体を通して信号を伝送する。技術が発達するにつれて、以前は可能ではなかったサービスを提供することができる、より高度なネットワークアクセス機器が導入されてきた。この高度なネットワークアクセス機器は、例えば、基地局よりもむしろ強化ノードＢ（ｅＮＢ）と、従来の無線電気通信システムにおける同等の機器よりも高度に発達した他のシステムおよびデバイスとを含む場合がある。そのような高度または次世代機器は、典型的には、ロングタームエボリューション（ＬＴＥ）機器と呼ばれる。ＬＴＥ機器については、無線デバイスが電気通信ネットワークへのアクセスを獲得することができる領域は、「ホットスポット」等の「セル」以外の名前で呼ばれる場合がある。本明細書で使用されるように、「セル」という用語は、無線デバイスが従来のセルラーデバイスであるか、ＬＴＥデバイスであるか、または何らかの他のデバイスであるかどうかにかかわらず、無線デバイスが電気通信ネットワークへのアクセスを獲得することができる、任意の領域を指すために使用される。
【０００２】
電気通信ネットワークでユーザによって使用される場合があるデバイスは、携帯電話、携帯情報端末、手持ち式コンピュータ、携帯用コンピュータ、ラップトップコンピュータ、タブレットコンピュータ、および同様のデバイス等の携帯端末と、住居用ゲートウェイ、テレビ、セットトップボックス、および同等物等の固定端末との両方を含むことができる。そのようなデバイスは、本明細書ではユーザ機器またはＵＥと呼ばれる。
【０００３】
無線通信システムでは、ネットワークアクセス機器（例えば、ｅＮＢ）からＵＥへの伝送は、ダウンリンク伝送と呼ばれる。ＵＥからネットワークアクセス機器への通信は、アップリンク伝送と呼ばれる。無線通信システムは、概して、継続的通信を可能にするために、タイミング同期の維持を必要とする。アップリンク同期の維持は、ＵＥに常に伝送するデータがあるとは限らない場合があることを考慮すると、スループットを無駄にする、および／またはＵＥの寿命を減少させる、問題があるものとなり得る。
【発明の概要】
【課題を解決するための手段】
【０００４】
１つの広い側面によれば、本願は、アップリンクデータの伝送に先立ちアップリンク参照信号伝送を開始することと、アップリンク参照信号伝送を開始した後にアップリンクデータを伝送することと、アップリンクデータの伝送の完了まで、アップリンク参照信号伝送を継続することとを含む、ユーザ機器におけるアップリンク参照信号伝送の方法を提供する。
【０００５】
別の広い側面によれば、本願は、アップリンクデータの伝送に先立ちアップリンク参照信号伝送を開始することと、アップリンク参照信号伝送を開始した後にアップリンクデータを伝送することと、アップリンクデータの伝送の完了まで、アップリンク参照信号伝送を継続することとを含む、方法を実装するために、その上に記憶されたコンピュータ実行可能命令を有するコンピュータ可読媒体を提供する。
【０００６】
別の広い側面によれば、本願は、受信モジュールと、アップリンクデータの伝送に先立ちアップリンク参照信号を生成し始め、アップリンクデータの伝送の完了まで、アップリンク参照信号伝送を生成し続ける、アップリンク信号生成モジュールと、アップリンクデータを伝送するように、およびアップリンク信号生成モジュールによって生成されるアップリンク参照信号を伝送するように構成される、伝送モジュールとを備えている、ユーザ機器を提供する。
【０００７】
別の広い側面によれば、本願は、スケジューリング要求が送信される時にオン持続時間を開始することと、オン持続時間中にＳＲＳ伝送を送信することと、オン持続時間の満了後にＳＲＳ伝送を中断することとを含む、ユーザ機器におけるアップリンク参照信号伝送のための方法を提供する。
【０００８】
別の広い側面によれば、本願は、アップリンクデータの伝送に先立ちアップリンク参照信号伝送を開始することと、アップリンク参照信号伝送を開始した後にアップリンクデータを伝送することと、アップリンクデータの伝送の完了まで、アップリンク参照信号伝送を継続することとを含む、方法を実装するために、その上に記憶されたコンピュータ実行可能命令を有するコンピュータ可読媒体を提供する。
【０００９】
別の広い側面によれば、本願は、受信モジュールと、アップリンクデータの伝送に先立ちアップリンク参照信号を生成し始め、アップリンクデータの伝送の完了まで、アップリンク参照信号伝送を生成し続ける、アップリンク信号生成モジュールと、アップリンクデータを伝送するように、およびアップリンク信号生成モジュールによって生成されるアップリンク参照信号を伝送するように構成される、伝送モジュールとを備えている、ユーザ機器を提供する。
【００１０】
別の広い側面によれば、本願は、次に起こり得る任意の再伝送／ＨＡＲＱ過程の完了まで、元データ伝送の前からアップリンク参照信号を伝送することを含む、方法を提供する。
【００１１】
別の広い側面によれば、本願は、その後にアップリンク参照信号伝送が停止される、元データ伝送の完了まで、元データ伝送の前からアップリンク参照信号を伝送することと、再伝送が必要な場合に、再伝送の前にアップリンク参照信号伝送を再開し、その後にＳＲＳ伝送が停止される、再伝送の完了まで継続することとを含む方法を提供する。
【図面の簡単な説明】
【００１２】
本開示をより完全に理解するために、添付の図面および発明を実施するための形態と併せて理解される、以下の簡単な説明を参照し、類似参照数字は、類似部品を表す。
【図１】図１は、本開示の実施形態によるセルラーネットワークの説明図である。
【図２】図２は、本開示の実施形態によるセルラーネットワークにおけるセルの説明図である。
【図３】図３は、可能なアップリンク伝送チャネルの説明図である。
【図４】図４は、タイミング図である。
【図５】図５は、アップリンク参照信号伝送の方法の実施例を示すフローチャートである。
【図６】図６は、アップリンク参照信号タイミングの実施例を示す、タイミング図である。
【図７】図７は、ＵＥによるアップリンク参照信号伝送の方法のフローチャートである。
【図８】図８は、図７の方法に対応するネットワークアクセス機器における方法のフローチャートである。
【図９】図９は、ＵＥの中のモジュールの例示的略図である。
【図１０】図１０は、本開示の種々の実施形態のうちのいくつかに対して動作可能である携帯デバイスを含む、無線通信システムの略図である。
【図１１】図１１は、本開示の種々の実施形態のうちのいくつかに対して動作可能である携帯デバイスのブロック図である。
【図１２】図１２は、本開示の種々の実施形態のうちのいくつかに対して動作可能である携帯デバイス上で実装され得る、ソフトウェア環境の略図である。
【図１３】図１３は、本開示の一実施形態による、例示的な汎用コンピュータである。
【発明を実施するための形態】
【００１３】
最初に、本開示の１つ以上の実施形態の例証的実装を以下で提供するが、開示されたシステムおよび／または方法は、現在既知であるか、または既存であるかにかかわらず、任意の数の技法を使用して実装され得ることを理解されたい。本開示は、本明細書で例証および説明される例示的設計および実装を含む、以下で例証される例証的実装、図面、および技法に決して限定されるべきではないが、同等物の全範囲とともに、添付の請求項の範囲内で修正され得る。図１は、本開示の実施形態による例示的セルラーネットワーク１００を図示する。セルラーネットワーク１００は、複数のセル１０２１、１０２２、１０２３、１０２４、１０２５、１０２６、１０２７、１０２８、１０２９、１０２１０、１０２１１、１０２１２、１０２１３、および１０２１４（まとめてセル１０２と呼ばれる）を含み得る。当業者に明白であるように、セル１０２の各々は、ネットワークアクセス機器（例えば、ｅＮＢ）からの通信を通してセルラーネットワーク１００のセルラーサービスを提供するためのサービスエリアを表す。セル１０２は、非重複サービスエリアを有するものとして描写されているが、当業者であれば、セル１０２のうちの１つ以上が、隣接セルと部分的に重複する範囲を有し得ることを認識するであろう。加えて、特定数のセル１０２が描写されているが、当業者であれば、より多いまたは少ない数のセル１０２がセルラーネットワーク１００に含まれ得ることを認識するであろう。
【００１４】
１つ以上のＵＥ１０が、セル１０２の各々に存在し得る。１つだけのＵＥ１０が描写されており、１つだけのセル１０２１２に示されているが、複数のＵＥ１０がセル１０２の各々に存在し得ることが、当業者に明白となるであろう。セル１０２の各々におけるネットワークアクセス機器２０は、従来の基地局の機能と同様の機能を果たす。すなわち、ネットワークアクセス機器２０は、電気通信ネットワークにおけるＵＥ１０と他の構成要素との間の無線リンクを提供する。ネットワークアクセス機器２０は、セル１０２１２のみに示されているが、ネットワークアクセス機器は、セル１０２の各々に存在し得ることを理解されたい。
【００１５】
図２は、セル１０２１２のより詳細な図を描写する。セル１０２１２におけるネットワークアクセス機器２０は、送信器２７、受信機２９、および／または他の周知の機器を介して、通信を推進し得る。同様の機器が、他のセル１０２に存在する場合がある。複数のＵＥ１０が、他のセル１０２の場合のように、セル１０２１２に存在する。本開示では、セルラーシステムまたはセル１０２は、信号の伝送等のあるアクティビティに従事するものとして説明されているが、当業者にとって容易に明白となるように、これらのアクティビティは、実際には、セルを含む構成要素によって行われる。
【００１６】
各セルでは、ネットワークアクセス機器２０からＵＥ１０への伝送は、ダウンリンク伝送と呼ばれ、ＵＥ１０からネットワークアクセス機器２０への伝送は、アップリンク伝送と呼ばれる。ＵＥは、セルラーネットワーク１００を使用して通信し得る、任意のデバイスを含み得る。例えば、ＵＥは、携帯電話、ラップトップコンピュータ、ナビゲーションシステム、または、セルラーネットワーク１００を使用して通信し得る、当業者に公知である任意の他のデバイス等の、デバイスを含み得る。
【００１７】
アップリンクチャネルの実施例の形式が、図３で概略的に示されている。伝送は、いくつかの異なる帯域幅（例えば、１．２５、５、１５、または２０ＭＨｚ）のうちの１つとなり得る。時間領域では、アップリンクは、フレーム、サブフレーム、およびスロットに分けられる。各スロット２０１（スロット２０１１、２０１２、．．．、２０１１９、２０１２０、まとめてスロット２０１として示される）は、７つの直交周波数分割多重（ＯＦＤＭ）記号２０３で構成されている。２つのスロット２０１は、サブフレーム２０５（サブフレーム２０５１、２０５２、．．．、２０５１０、まとめてサブフレーム２０５と呼ばれる）を構成する。フレームは、１０個の連続サブフレームの集合である。サブフレーム２０５の正確な詳細は、正確な実装に応じて変動し得るため、以下の説明は一例のみとして提供される。ＵＥは、２つ以上のＵＥが同時に伝送し得るように、一定振幅およびゼロ自己相関シーケンス（ＣＡＺＡＣ）を使用して伝送する。復調（ＤＭ）参照記号（ＲＳ）が、各スロットの第４の記号２０９の上に置かれ、制御チャネル２１１が、周波数帯の極めて外側の縁の上の少なくとも１つのリソースブロックによって取り込まれる。
【００１８】
チャネル品質評価のためのアップリンク参照信号伝送機会、および／またはタイミング整合（例えば、ＳＲＳ（サウンディング参照信号））伝送機会が、各サブフレーム２０５のどこかに存在し得、初めまたは終わりに存在する可能性が高い。それぞれのそのような伝送機会は、リソースブロックと同じ周波数帯域幅に対応する、１２の副搬送波のいくつかのブロックに分けられる。ＵＥは、選択される伝送帯域幅に応じて、これらの周波数ブロックのうちの１つまたは全てを使用し得る。ＵＥはまた、１つ以上の多重ブロックで１つおきの副搬送波を使用し得る。図示した実施例では、ＳＲＳは、サブフレーム２０５１およびサブフレーム２０１１９の第１の記号２０７で示されている。図３はまた、物理的アップリンク制御チャネル（ＰＵＣＣＨ）２１１が、時間および周波数のどこに置かれるかも示す。制御信号伝達は、ＰＵＣＣＨで行われる。一実施形態では、システムは、ハイブリッド自動再送要求（ＨＡＲＱ）確認応答（ＡＣＫ）／否定応答（ＮＡＣＫ）フィードバックを実装する。ＡＣＫまたはＮＡＣＫは、ｅＮＢから伝送されたパケットがＵＥで受信されたかどうかを示すように、ＰＵＣＣＨ２１１上でＵＥによってｅＮＢに送信される。物理的アップリンク共有チャネル（ＰＵＳＣＨ）が、ユーザデータを送信するために使用される。
【００１９】
上記のアップリンクチャネルの説明は、アップリンクチャネルの１つの実装である。他のアップリンクチャネル構成が使用され得、アップリンク参照信号伝送（例えば、ＳＲＳ）は、必ずしも指定の時間間隔（例えば、スロット）の開始または終了時だけでなく、アップリンクメッセージの任意の部分の間に送信されることが理解されるであろう。
【００２０】
アップリンク同期を維持するために、ネットワークアクセス機器２０（図１に示される）が、ＵＥ１０から送信される信号を分析することによって、アップリンクチャネル条件を計算することが望ましい。ネットワークアクセス機器２０とＵＥ１０との間で送信される信号の１つの可能なタイミング図を図４に示す。この実施形態では、ネットワークアクセス機器２０は、アップリンク参照信号伝送命令メッセージ２４１の使用を通して、アップリンク参照信号伝送（例えば、ＳＲＳ）を送信する時をＵＥ１０に命令する。アップリンク参照信号伝送命令メッセージ２４１は、種々の命令のうちのいずれか１つを含み得る。例えば、ネットワークアクセス機器２０は、一定の速度で、またはネットワークアクセス機器２０に対するＵＥ１０の速度に応じてバーストで、参照信号伝送を送信するように、参照信号伝送命令メッセージ２４１を介してＵＥ１０に命令し得る。応答２４３において、ＵＥ１０は、ネットワークアクセス機器２０の命令に従って参照信号伝送（例えば、ＳＲＳ）を送信し得る。
【００２１】
ＵＥのバッテリ電力を節約するために、ＵＥは、不連続受信（ＤＲＸ）で動作し得る。典型的には、ＵＥは、反復様式で、その受信能力をオンおよびオフにする。ネットワークは、ＤＲＸ挙動を認識し、受信能力がオンである期間中に、ＵＥへの伝送を行う。オン期間がオフ期間が続く、これが、ＤＲＸサイクルである。
【００２２】
接続モードのＤＲＸは、ネットワークによって構成される。構成の一部は、ＤＲＸサイクルオン持続時間、非活動タイマー、およびＨＡＲＱタイマーの設定である。オン期間（受信機がオンであり、それぞれオン持続時間によって指定される長さを有する期間）の間、ＵＥは、可能なダウンリンクおよびアップリンク伝送の割付について、ＰＤＣＣＨ（パケットデータ制御チャネル）または構成されたリソースを監視する。ＰＤＣＣＨの復号が成功すると、非活動タイマーが起動される。オン期間の終了時に、ＵＥは、ＤＲＸ構成に従って休止状態に戻り得る。
【００２３】
（アップリンク伝送に先立つアップリンク参照信号の伝送）
いくつかの実施形態では、ＵＥは、送信するアプリンクデータがあることを決定するまでアップリンク参照信号を伝送しない。そのような決定を行うと、ＵＥは、例えば、アップリンク伝送の開始のわずか前に、およびアップリンク伝送中に、アップリンク伝送に先立ちアップリンク参照信号を伝送する。次いで、ＵＥは、アップリンク伝送の完了後にアップリンク参照信号の伝送を停止する。図５を参照して、方法のフローチャートを説明する。方法は、ブロック５−１でオン期間およびオフ期間を有するように、ユーザ機器の中の受信機を制御することから始まる。これらのオン期間およびオフ期間は、大部分が周期的であるか、またはいくつかの実施形態で大部分が周期的であり得るが、より一般的には、必ずしも周期的である必要はないことに留意されたい。方法は、ブロック５−２で、アップリンクデータの伝送に先立ちアップリンク参照信号伝送の開始を続ける。方法は、アップリンク参照信号伝送を開始した後に、ブロック５−３において、ユーザ機器でアップリンクデータの伝送を続ける。ブロック５−４で、ユーザ機器は、アップリンクデータの伝送の完了までアップリンク参照信号伝送を継続する。
【００２４】
図５の実施形態は、アップリンクデータ伝送に先立つアップリンク参照信号伝送が、受信機のＤＲＸ制御との関連であることを仮定する。別の実施形態では、ブロック５−２、５−３、５−４は、ＤＲＸモードで動作していないユーザ機器によって実行され、その場合、ブロック５−１を省略することができる。
【００２５】
ここで図６を参照して、具体的実施例を説明する。この実施例、および以下の実施例の全てにおいて、参照信号は、ＳＲＳ伝送と仮定される。挙げられた実施形態の全てが、より一般的に参照信号に対する適用を有することを理解されたい。図６は、ＤＲＸモードでのＵＥに対する種々の信号のタイミングを示す。ＤＲＸサイクル割当のＤＲＸタイミング８００、データの伝送の可用性のタイミング８１０、アップリンクデータ伝送のタイミング８２２、８３０で示されたスケジューリング要求タイミング、および８２０で示されたＳＲＳタイミングが示されている。ＤＲＸタイミング８００は、ＤＲＸオン持続時間（８０４で示される）およびＤＲＸオフ持続時間を含む、ＤＲＸサイクル８０２から成る。受信機は、交互に、ＤＲＸオン持続時間を有するオン期間にわたってオンにされ、ＤＲＸオフ持続時間を有するオフ期間にわたってオフにされる。ＳＲＳタイミング８２０は、ＳＲＳ期間８２２を有する。これは、ＳＲＳ伝送に利用可能であるアップリンクリソースのタイミングを表す。より一般的に、ＵＥは、利用可能な一式のアップリンク参照信号伝送機会の定義を維持する。いくつかの実施形態では、これらの伝送機会を定義する情報は、ネットワークによってＵＥに伝送される信号伝達情報に含まれる。図示された実施例では、アップリンクリソースは、周期的リソースであるが、他の実施形態では、リソースは、必ずしも周期的とは限らない。図示された実施例では、１つのＤＲＸサイクル８０２に対し１２のＳＲＳ期間の割りであるが、これは実装特有である。以下で説明されるように、ＳＲＳは、全ての機会に伝送されるわけではない。アップリンク上で送信されるデータの可用性のタイミング８１０は、例えば、データが伝送のためのバッファに達する時を示す。この実施例の目的で、８１２において、データがアップリンク上の伝送に利用可能であることが仮定される。示された具体的実施例について、スケジューリング要求タイミング８３０は、８１２で利用可能なデータに関して、８３２でＵＥによって伝送されるスケジューリング要求を示す。いくつかの実施形態では、スケジューリング要求は、本質的に半持続的であり得る、以前に割り当てられたアップリンクリソースを要求するように、ＵＥによって基地局に送信される指示である。これは、割当の詳細が毎回信号伝達される必要がないように、ＵＥがリソースを要求するたびに、同じリソースが割り当てられることを意味する。結果として生じるアップリンクデータ伝送のタイミングが、８２５で示される。アップリンク伝送は、例えば、半持続的リソースを使用して発生し得る。より一般的に、図６の実施例について、ＳＲＳ挙動は、任意のアップリンク伝送に関することができ、これは、いくつか例を挙げると、半持続的リソースを使用した伝送、または動的にスケジュールされた伝送を伴い得る。
【００２６】
図示された実施例では、データは、ＤＲＸオン持続時間の間で、アップリンク上の伝送のために８１２で到着する。８３２でＳＲを伝送するように、次のオン持続時間まで待つのではなく、ＵＥは、伝送のためのデータを受信した時に伝送できるようになる。いくつかの実施形態では、ＵＥは、アップリンク伝送のためのデータの受信の開始後の次の利用可能な機会に、割り当てられたスケジューリング要求チャネル割当を使用して、ＳＲを伝送する（より一般的に、ＵＥは、何らかの要求機構を使用してアップリンク伝送リソースを要求する）。いくつかの実施形態では、ＳＲが伝送される時にＤＲＸ制御が受信機をオフにしている場合、ＵＥは、アップリンク付与を受信するために、その受信機をオンにする。この要求は、例えば、その目的で以前に割り当てられたアップリンクリソースを使用して送信され得、それは、いくつか例を挙げると、所与のＵＥ専用のリソース、または競合ベースのリソースであり得る。これは、ＵＥがＤＲＸオンサイクル持続時間中に伝送することに制限される時に発生し得る、オン持続時間サイクル中の平均ＵＬ待ち時間およびチャネル混雑に関する問題を削減し得る。そのような実施形態では、アップリンク伝送リソースの要求、およびアップリンクデータの後続伝送は、両方とも受信機のオンおよびオフ期間に関係なく行われる。いくつかの実施形態では、ネットワークは、アップリンク伝送リソースの要求を伝送することと、受信機のオンおよびオフ期間に関係なくアップリンクデータを伝送することとが可能となるようにユーザ機器を構成するよう、ＵＥに信号伝達を伝送する。他の実施形態では、ＵＥは、ネットワークから信号伝達を受信することなく、このように挙動することが可能である。
【００２７】
ＳＲＳ伝送は、データ伝送８２５に先立ち誘起される。具体的には、示されるように、ＳＲＳ伝送は、アップリンクデータ伝送のタイミング８２５を包含する期間８２４にわたって発生する。ＵＥによって送信されるデータが届いた後に、ＳＲＳが伝送される。ＳＲＳ伝送は、データ伝送が開始する前に開始し、データが伝送された後に中断される。いくつかの実施形態では、これは、図６の実施例について示されるように、アップリンクデータ伝送中に発生する利用可能な一式のアップリンク参照信号伝送機会のうちの最後まで、アップリンク参照信号伝送を継続し、次いで、参照信号伝送を中断することを伴う。
【００２８】
いくつかの実施形態では、（８３２等における）ＳＲの伝送後、ネットワークは、その全体で参照することにより本明細書に組み込まれる、ＴＳ  ３６．２１１（第６項参照）で説明されているＰＤＣＣＨ（パケットデータ制御チャネル）等の、ダウンリンク制御チャネル上のアップリンク付与で応答する。いくつかの実施形態では、ＳＲＳ伝送を中断する時を制御するために、非活動タイマが使用される。例えば、アップリンク付与の受信が、非活動タイマを起動するトリガとして使用され得る。ＳＲＳ伝送は、非活動タイマが満了した後に中断される。
【００２９】
（アップリンクリソース要求前のアップリンクにおける最も近いＳＲＳ伝送機会でのＳＲＳ伝送）
いくつかの実施形態では、ＵＥは、アップリンクリソース要求を行う前に、アップリンクにおける最も近いＳＲＳ伝送機会にＳＲＳ伝送を行い始める。そのような実施形態では、携帯デバイスが、前述のように一式の利用可能なＳＲＳ伝送機会の定義を維持する。アップリンクリソース要求を行う前に発生する、これらの機会のうちの最後は、その中でＳＲＳ伝送が開始する機会である。図６の実施例は、これを図示する。ＳＲＳ伝送機会８２５は、８３２でＳＲを伝送する前に発生する最新のＳＲＳ伝送機会であることが分かる。
【００３０】
いくつかの実施形態では、この挙動は、半持続的リソースのアップリンクリソース要求に関する。これは、例えば、上記のＳＲ機構を使用することを伴い得る。いくつかの実施形態では、この挙動は、競合ベースのアクセス機構（例えば、ＴＳ３６．２１１（第５項参照）で説明されているＲＡＣＨ（ランダムアクセスチャネル）機構）を使用して伝送される、アップリンクリソース要求に関する。最後に、いくつかの実施形態では、ＳＲおよび競合ベースのリソース要求機構の両方は、この挙動を誘起するのに利用可能である。
【００３１】
種々の機構が、データ伝送に先立ちＳＲＳ伝送の開始を誘起すると説明されている。種々の機構はまた、ＳＲＳ伝送を停止するためにも提供される。第１の実施例が上記で説明され、アップリンク付与の受信時に非活動タイマを起動することを伴った。ＳＲＳ伝送は、非活動タイマの満了時に停止する。
【００３２】
別の実施形態では、ＵＥは、単純に、データ伝送の終了時に、いくつかの実施形態では、データ伝送が終了した後の最も早い機会に、ＳＲＳ伝送を停止する
いくつかの実施形態では、ＳＲＳは、元データ伝送、および次に起こり得る任意の再伝送／ＨＡＲＱ過程中に伝送される。ＳＲＳ伝送は、任意の再伝送／ＨＡＲＱ過程の完了まで、データ伝送の前から伝送される。
【００３３】
他の実施形態では、ＳＲＳ伝送は、その後にＳＲＳ伝送が停止される、元データ伝送の完了まで、元データ伝送の前から伝送される。再伝送が必要な場合に、再伝送を網羅（ｃｏｖｅｒ）するために、ＳＲＳ伝送が再開される。元の伝送の場合のように、これは、再伝送に先立ち開始し、再伝送の完了まで継続する。
【００３４】
（参照信号タイミング整合）
いくつかの実施形態では、参照信号伝送は、２つの異なる目的で行われる。
ａ）ネットワークが、アップリンク伝送のための適切な適応変調および符号化を決定することができるように、ネットワークがアップリンクチャネルの品質を評価することを可能にする。
ｂ）前述のようなアップリンクタイミング整合。
【００３５】
伝送は、いずれの場合も同じであるが、ネットワークは、異なるタイミング制約とともにそれらを必要とし得る。例えば、ネットワークは、アップリンクタイミング整合よりも頻繁に、アップリンクチャネル品質評価のための参照信号を必要とし得る。いくつかの実施形態では、ＵＥが、アップリンクチャネル評価のための参照信号伝送とは別に、タイミング整合のためのこれらの参照信号伝送を行うのではなく、ＵＥは、可能な時はいつでも、これら２つの参照信号伝送のタイミングを整合させ、タイミングが整合させられると、単一の参照信号伝送のみが行われる。
【００３６】
具体的には、ネットワークは、タイミング整合のための参照信号伝送機会、およびアップリンクチャネル品質評価のための参照信号伝送機会をＵＥに割り当てる。各参照信号伝送機会について、現在の機会がタイミング整合またはアップリンクチャネル品質評価要件の一方または両方と整合された場合に、単一の参照信号が伝送される。いくつかの実施形態では、この参照信号挙動は、例えば、以前の実施形態で説明された機構のうちのいずれかを使用して、有効化されている参照信号伝送に基づく。図７のフローチャートを参照して、ＵＥの観点から、この方法の具体的実施例を説明する。方法は、ブロック７−１で、アップリンクタイミング整合のための参照信号伝送機会、およびアップリンクチャネル品質評価のための参照信号伝送機会を割り付ける信号伝達を受信するＵＥから開始する。アップリンクタイミング整合のための参照信号伝送機会のうちのいくつかは、アップリンクチャネル品質評価のための参照信号伝送機会に一致し得る。方法は、ブロック７−２で、信号伝達に従ってアップリンクタイミング整合のための参照信号伝送機会を伝送し、ブロック７−３で、信号伝達に従ってアップリンクチャネル品質評価のための参照信号伝送を伝送することを続ける。その際に、信号伝達に従ってアップリンクタイミング整合のための参照信号伝送機会を伝送し、信号伝達に従ってアップリンクチャネル品質評価のための参照信号伝送を伝送することは、アップリンクチャネル品質評価のための参照信号伝送機会と一致する、アップリンクタイミング整合のための任意の参照信号伝送機会のために、アップリンクタイミング整合およびアップリンクチャネル品質評価の両方のための単一の参照信号伝送を伝送することによって達成される。
【００３７】
図８のフローチャートを参照して、ネットワークの観点から、この方法の実施例を説明する。方法は、ブロック８−１で、アップリンクタイミング整合のための参照信号伝送機会、およびアップリンクチャネル品質評価のための参照信号伝送機会を割り付ける信号伝達を伝送するネットワークから開始する。方法は、ブロック８−２で、信号伝達に従うアップリンクタイミング整合のための参照信号伝送機会を受信し、ブロック８−３で、信号伝達に従うアップリンクチャネル品質評価のための参照信号伝送を受信することを続ける。その際に、信号伝達に従うアップリンクタイミング整合のための参照信号伝送機会を受信し、信号伝達に従うアップリンクチャネル品質評価のための参照信号伝送を受信することは、アップリンクチャネル品質評価のための参照信号伝送機会と一致する、アップリンクタイミング整合のための任意の参照信号伝送機会のために、アップリンクタイミング整合およびアップリンクチャネル品質評価の両方のための単一の参照信号伝送を受信することを含む。
【００３８】
いくつかの実施形態では、ネットワークは、チャネル品質評価およびタイミング整合の一方または両方に利用可能となる参照信号伝送機会の定義を含む、信号伝達情報を伝送する。加えて、信号伝達情報は、チャネル品質評価のための参照信号の伝送の最小期間、および／またはタイミング整合のための参照信号の伝送の最小期間を識別する、情報を含む。ＵＥは、可能な時はいつでも、単一の参照信号がチャネル品質評価およびタイミング整合の両方のために送信されるように、参照信号伝送機会の定義に従って、かつ最小期間に制約されて、参照信号伝送を行う。
【００３９】
具体的実施例として、基本的な一式のＳＲＳ伝送機会が、１０ミリ秒の周期性で定義され得ることを考慮されたい。チャネル品質評価のためのＳＲＳは、ＵＥが伝送している間に１０ミリ秒ごとに要求され得、タイミング整合のためのＳＲＳは、ＵＥが伝送しているかどうかに関係なく３０ミリ秒ごとに要求され得る。この情報は、ＵＥが両方の要件を満たして伝送している間に、単一ＳＲＳを１０ミリ秒ごとに伝送し、ＵＥが伝送していない間に単一ＳＲＳを３０ミリ秒ごとに伝送するために、ＵＥによって使用される。
【００４０】
いくつかの実施形態では、上記の過程を実行するために、ＵＥ１０は、上記の過程を行うことが可能なプロセッサを備えている。簡単にするために、異なる機能が、異なるモジュールに分けられている。これらのモジュールは、別個または一緒に実装され得る。さらに、これらのモジュールは、ハードウェア、ソフトウェア、または何らかの組み合わせで実装され得る。最終的に、これらのモジュールは、ＵＥメモリの異なる部分に存在し得る。図９に図示されるように、ＵＥプロセッサは、受信モジュール８０１と、アップリンク参照信号生成モジュール８０３と、伝送モジュール８０７とを備えている。受信モジュール８０１は、ネットワークから通信を受信する。これらは、例えば、受信機のオンおよびオフ期間を構成し、アップリンク参照信号の伝送機会、およびアップリンク付与等の、受信機の種々のリソースを構成する、１つまたは複数のメッセージを含み得る。伝送モジュール８０７は、データ伝送およびアップリンクタイミング整合信号伝送を含む、アップリンク伝送を行う。これらは、一例として図３を参照して前述されるような、統合フレーム構造の一部となり得る。アップリンク参照信号生成モジュール８０３は、アップリンク参照信号伝送が、データ伝送に先立ち、かつデータ伝送中に発生するように、伝送モジュール８０７による伝送のためにアップリンク参照信号伝送を生成する。これは、例えば、先述の方法のうちのいずれかを使用して発生することができる。
【００４１】
図１０は、ＵＥ１０の実施形態を含む、無線通信システムを図示する。ＵＥ１０は、本開示の側面を実装するために動作可能であるが、本開示は、これらの実装に限定されるべきではない。携帯電話として図示されているが、ＵＥ１０は、無線ハンドセット、ポケットベル、携帯情報端末（ＰＤＡ）、携帯用コンピュータ、タブレットコンピュータ、またはラップトップコンピュータを含む、種々の形態を成し得る。多くの好適なデバイスは、これらの機能のうちのいくつかまたは全てを組み合わせる。本開示のいくつかの実施形態では、ＵＥ１０は、携帯用、ラップトップ、またはタブレットコンピュータのような汎用計算デバイスではないが、むしろ、携帯電話、無線ハンドセット、ポケットベル、ＰＤＡ、または車両に設置される電気通信デバイス等の専用通信デバイスである。別の実施形態では、ＵＥ１０は、携帯用、ラップトップ、または他の計算デバイスであり得る。ＵＥ１０は、ゲーム、在庫管理、ジョブ制御、および／またはタスク管理機能等の特殊活動を支援し得る。
【００４２】
ＵＥ１０は、ディスプレイ４０２を含む。ＵＥ１０はまた、ユーザによる入力のために、概して４０４と呼ばれるタッチセンサ式表面、キーボード、または他の入力キーも含む。キーボードは、ＱＷＥＲＴＹ、Ｄｖｏｒａｋ、ＡＺＥＲＴＹ、および逐次タイプ等の、完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。ＵＥ１０は、ユーザが選択するためのオプション、ユーザが作動させるための制御、および／またはユーザが指図するための他の指標を提示し得る。
【００４３】
ＵＥ１０はさらに、ダイヤルする番号、またはＵＥ１０の動作を構成するための種々のパラメータを含む、ユーザからのデータ入力を受け取ってもよい。ＵＥ１０はさらに、ユーザコマンドに応じて、１つ以上のソフトウェアまたはファームウェアアプリケーションを実行し得る。これらのアプリケーションは、ユーザ対話に反応して種々のカスタマイズされた機能を果たすようにＵＥ１０を構成し得る。加えて、ＵＥ１０は、例えば、無線基地局、無線アクセスポイント、またはピアＵＥ１０から、無線でプログラムおよび／または構成され得る。
【００４４】
ＵＥ１０によって実行可能な種々のアプリケーションの中には、ディスプレイ４０２がウェブページを表示することを可能にするウェブブラウザがある。ウェブページは、無線ネットワークアクセスノード、携帯電話の基地局、ピアＵＥ１０、または任意の他の無線通信ネットワークあるいはシステム４００との無線通信を介して、取得され得る。ネットワーク４００は、インターネット等の有線ネットワーク４０８に連結される。無線リンクおよび有線ネットワークを介して、ＵＥ１０は、サーバ４１０等の種々のサーバ上の情報にアクセスできる。サーバ４１０は、ディスプレイ４０２上に示され得るコンテンツを提供し得る。代替として、ＵＥ１０は、リレー型またはホップ型の接続で、仲介の役割を果たすピアＵＥ１０を通してネットワーク４００にアクセスし得る。
【００４５】
図１１は、ＵＥ１０のブロック図を示す。ＵＥ１０の種々の既知の構成要素が描写されているが、実施形態では、記載された構成要素および／または記載されていない付加的な構成要素の一部が、ＵＥ１０に含まれ得る。ＵＥ１０は、デジタル信号プロセッサ（ＤＳＰ）５０２と、メモリ５０４とを含む。示されるように、ＵＥ１０はさらに、アンテナおよびフロントエンドユニット５０６と、無線周波数（ＲＦ）送受信機５０８と、アナログベースバンド処理ユニット５１０と、マイクロホン５１２と、イヤホンスピーカ５１４と、ヘッドセットポート５１６と、入力／出力インターフェース５１８と、可撤性メモリカード５２０と、ユニバーサルシリアルバス（ＵＳＢ）ポート５２２と、短距離無線通信サブシステム５２４と、アラート５２６と、キーパッド５２８と、タッチセンサ式表面を含み得る液晶ディスプレイ（ＬＣＤ）５３０と、ＬＣＤコントローラ５３２と、電荷結合素子（ＣＣＤ）カメラ５３４と、カメラコントローラ５３６と、グローバルポジショニングシステム（ＧＰＳ）センサ５３８とを含み得る。一実施形態では、ＵＥ１０は、タッチセンサ式画面を提供しない、別の種類のディスプレイを含み得る。実施形態では、ＤＳＰ５０２は、入力／出力インターフェース５１８を通過せずに、メモリ５０４と直接通信し得る。
【００４６】
ＤＳＰ５０２または何らかの他の形態のコントローラあるいは中央処理ユニットは、メモリ５０４に記憶された、またはＤＳＰ５０２自体内に含まれるメモリに記憶された、組み込みソフトウェアまたはファームウェアに従って、ＵＥ１０の種々の構成要素を制御するように動作する。組み込みソフトウェアまたはファームウェアに加えて、ＤＳＰ５０２は、メモリ５０４に記憶された、または、可撤性メモリカード５２０のような携帯用データ記憶媒体等の情報キャリア媒体を介して、あるいは有線または無線ネットワーク通信を介して利用可能となった、他のアプリケーションを実行し得る。アプリケーションソフトウェアは、所望の機能性を提供するようにＤＳＰ５０２を構成する、コンパイルされた一式の機械可読命令を備えてもよく、または、アプリケーションソフトウェアは、ＤＳＰ５０２を間接的に構成するようにインタープリタまたはコンパイラによって処理される、高次ソフトウェア命令であり得る。
【００４７】
アンテナおよびフロントエンドユニット５０６は、無線信号と電気信号との間で変換するように提供され得、ＵＥ１０が、セルラーネットワークまたは何らかの他の利用可能な無線通信ネットワークから、あるいはピアＵＥ１０から、情報を送受信することを可能にする。実施形態では、アンテナおよびフロントエンドユニット５０６は、ビーム形成および／または多重入出力（ＭＩＭＯ）動作を支援するように、複数のアンテナを含み得る。当業者に公知であるように、ＭＩＭＯ動作は、困難なチャネル条件を克服し、および／またはチャネルスループットを増加させるために使用することができる、空間的多様性を提供し得る。アンテナおよびフロントエンドユニット５０６は、アンテナ同調および／またはインピーダンス整合構成要素、ＲＦ電力増幅器、および／または低雑音増幅器を含み得る。
【００４８】
ＲＦ送受信機５０８は、周波数シフトを提供し、受信したＲＦ信号をベースバンドに変換し、ベースバンド伝送信号をＲＦに変換する。いくつかの説明では、無線送受信機またはＲＦ送受信機は、変調／復調、符号化／復号、インターリービング／デインタリービング、拡散／逆拡散、逆高速フーリエ変換（ＩＦＦＴ）／高速フーリエ変換（ＦＦＴ）、周期的接頭辞添付／除去、および他の信号処理機能等の、他の信号処理機能性を含むと理解され得る。簡単にする目的で、ここでの説明は、ＲＦおよび／または無線段階から、この信号処理の説明を分離し、その信号処理を、アナログベースバンド処理ユニット５１０および／またはＤＳＰ５０２あるいは他の中央処理ユニットに概念的に割り当てる。いくつかの実施形態では、ＲＦ送受信機５０８、アンテナおよびフロントエンド５０６の複数部分、およびアナログベースバンド処理ユニット５１０が、１つ以上の処理ユニットおよび／または特定用途向け集積回路（ＡＳＩＣ）に組み入れられ得る。
【００４９】
アナログベースバンド処理ユニット５１０は、入力および出力の種々のアナログ処理、例えば、マイクロホン５１２およびヘッドセット５１６からの入力、ならびにイヤホン５１４およびヘッドセット５１６への出力のアナログ処理を提供し得る。そのためには、アナログベースバンド処理ユニット５１０は、ＵＥ１０が携帯電話として使用されることを可能にする、内蔵マイクロホン５１２およびイヤホンスピーカ５１４に接続するためのポートを有し得る。アナログベースバンド処理ユニット５１０はさらに、ヘッドセットまたは他のハンズフリーマイクロホンおよびスピーカ構成に接続するためのポートを含み得る。アナログベースバンド処理ユニット５１０は、１つの信号方向にデジタル・アナログ変換を、反対の信号方向にアナログ・デジタル変換を提供し得る。いくつかの実施形態では、アナログベースバンド処理ユニット５１０の機能性の少なくとも一部が、デジタル処理構成要素によって、例えば、ＤＳＰ５０２によって、または他の中央処理ユニットによって提供され得る。
【００５０】
ＤＳＰ５０２は、変調／復調、符号化／復号、インターリービング／デインタリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行い得る。実施形態では、例えば、符号分割多重アクセス（ＣＤＭＡ）技術用途で、送信器機能のために、ＤＳＰ５０２は、変調、符号化、インターリービング、および拡散を行い、受信機機能のために、ＤＳＰ５０２は、逆拡散、デインターリービング、復号、および復調を行い得る。別の実施形態では、例えば、直交周波数分割多重アクセス（ＯＦＤＭＡ）技術用途で、送信器機能のために、ＤＳＰ５０２は、変調、符号化、インターリービング、逆高速フーリエ変換、および周期的接頭辞添付を行い、受信機機能のために、ＤＳＰ５０２は、周期的接頭辞除去、高速フーリエ変換、デインターリービング、復号、および復調を行い得る。他の無線技術用途では、さらに他の信号処理機能、および信号処理機能の組み合わせが、ＤＳＰ５０２によって行われ得る。
【００５１】
ＤＳＰ５０２は、アナログベースバンド処理ユニット５１０を介して無線ネットワークと通信し得る。いくつかの実施形態では、通信は、インターネット接続を提供してもよく、ユーザがインターネット上のコンテンツへのアクセスを獲得することと、Ｅメールおよびテキストメッセージを送受信することとを可能にする。入力／出力インターフェース５１８は、ＤＳＰ５０２と種々のメモリおよびインターフェースとを相互接続する。メモリ５０４および可撤性メモリカード５２０は、ソフトウェアおよびデータを提供して、ＤＳＰ５０２の動作を構成し得る。インターフェースの中には、ＵＳＢインターフェース５２２および短距離無線通信サブシステム５２４があり得る。ＵＳＢインターフェース５２２は、ＵＥ１０を充電するために使用され得、また、ＵＥ１０が周辺デバイスとして機能し、パーソナルコンピュータまたは他のコンピュータシステムと情報を交換することを可能にし得る。短距離無線通信サブシステム５２４は、赤外線ポート、Ｂｌｕｅｔｏｏｔｈインターフェース、ＩＥＥＥ  ８０２．１１準拠無線インターフェース、または、ＵＥ１０が他の近くの携帯デバイスおよび／または無線基地局と無線通信することを可能にし得る、任意の他の短距離無線通信サブシステムを含み得る。
【００５２】
入力／出力インターフェース５１８はさらに、誘起されると、例えば、ベルを鳴らす、メロディを再生する、または振動することによって、ＵＥ１０にユーザへ通知を提供させる、アラート５２６にＤＳＰ５０２を接続し得る。アラート５２６は、無音で振動することによって、または特定の架電者に対して特定の事前に割り当てられたメロディを再生することによって、着信電話、新しいテキストメッセージ、および予約のリマインダ等の種々の事象のうちのいずれかをユーザに警告するための機構としての機能を果たし得る。
【００５３】
キーパッド５２８は、インターフェース５１８を介してＤＳＰ５０２に連結し、ユーザが選択を行う、情報を入力する、あるいはＵＥ１０に入力を提供するための１つの機構を提供する。キーボード５２８は、ＱＷＥＲＴＹ、Ｄｖｏｒａｋ、ＡＺＥＲＴＹ、および逐次タイプ等の、完全または縮小英数字キーボード、または電話キーパッドと関連するアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。別の入力機構は、タッチスクリーン能力を含み、また、ユーザにテキストおよび／またはグラフィックを表示し得る、ＬＣＤ５３０であり得る。ＬＣＤコントローラ５３２は、ＤＳＰ５０２をＬＣＤ５３０に連結する。ＣＣＤカメラ５３４は、装備された場合、ＵＥ１０がデジタル写真を撮ることを可能にする。ＤＳＰ５０２は、カメラコントローラ５３６を介してＣＣＤカメラ５３４と通信する。別の実施形態では、電荷結合素子カメラ以外の技術に従って動作するカメラが採用され得る。ＧＰＳセンサ５３８は、グローバルポジショニングシステム信号を復号するようにＤＳＰ５０２に連結され、それにより、ＵＥ１０がその位置を決定することを可能にする。種々の他の周辺機器もまた、付加的な機能、例えば、ラジオおよびテレビ受信を提供するように含まれ得る。
【００５４】
図１２は、ＤＳＰ５０２によって実装され得る、ソフトウェア環境６０２を図示する。ＤＳＰ５０２は、ソフトウェアの他の部分が動作するプラットフォームを提供する、オペレーティングシステムドライバ６０４を実行する。オペレーティングシステムドライバ６０４は、アプリケーションソフトウェアにアクセス可能である標準化インターフェースを伴う無線デバイスハードウェアに対するドライバを提供する。オペレーティングシステムドライバ６０４は、ＵＥ１０上で作動するアプリケーションの間で制御を転送する、アプリケーション管理サービス（「ＡＭＳ」）６０６を含む。図１２には、ウェブブラウザアプリケーション６０８、メディアプレーヤアプリケーション６１０、およびＪａｖａ（登録商標）アプレット６１２も示されている。ウェブブラウザアプリケーション６０８は、ウェブブラウザとして動作するようにＵＥ１０を構成し、ユーザがフォームに情報を入力し、ウェブページを検索および閲覧するようにリンクを選択することを可能にする。メディアプレーヤアプリケーション６１０は、音声または視聴覚媒体を読み出し、再生するようにＵＥ１０を構成する。Ｊａｖａ（登録商標）アプレット６１２は、ゲーム、ユーティリティ、および他の機能性を提供するようにＵＥ１０を構成する。構成要素６１４は、本開示に関係する機能性を提供する場合がある。
【００５５】
図１のＵＥ１０、ＥＮＢ２０、および中央制御１１０、ならびにセル１０２と関連する場合がある他の構成要素は、その上に置かれた必要な作業負荷に対処するように、十分な処理能力、メモリリソース、およびネットワークスループット能力を伴う任意の汎用コンピュータを含み得る。図１３は、本明細書で開示される１つ以上の実施形態を実装するために好適であり得る、典型的な汎用コンピュータシステム７００を図示する。コンピュータシステム７００は、２次記憶部７５０、読み出し専用メモリ（ＲＯＭ）７４０、ランダムアクセスメモリ（ＲＡＭ）７３０、入力／出力（Ｉ／Ｏ）デバイス７００、およびネットワーク接続デバイス７６０を含む、メモリデバイスと通信しているプロセッサ７２０（中央プロセッサユニットまたはＣＰＵと呼ばれてもよい）を含む。プロセッサは、１つ以上のＣＰＵチップとして実装され得る。
【００５６】
２次記憶部７５０は、典型的には、１つ以上のディスクドライブまたはテープドライブから成り、データの不揮発性記憶のために、かつＲＡＭ７３０が全ての作業データを保持するほど大きくない場合にオーバーフローデータ記憶デバイスとして使用される。２次記憶部７５０は、プログラムが実行のために選択された時に、ＲＡＭ７３０に取り込まれる、そのようなプログラムを記憶するために使用され得る。ＲＯＭ７４０は、プログラム実行中に読み出される命令と、おそらくはデータとを記憶するために使用される。ＲＯＭ７４０は、典型的には、２次記憶部のより大きいメモリ容量に対して小さいメモリ容量を有する、不揮発性メモリデバイスである。  ＲＡＭ７３０は、揮発性データを記憶するため、および、おそらく命令を記憶するために使用される。ＲＯＭ７４０およびＲＡＭ７３０の両方へのアクセスは、典型的には、２次記憶部７５０へのアクセスよりも速い。
【００５７】
Ｉ／Ｏデバイス７００は、プリンタ、ビデオモニタ、液晶ディスプレイ（ＬＣＤ）、タッチスクリーンディスプレイ、キーボード、キーパッド、スイッチ、ダイヤル、マウス、トラックボール、音声認識装置、カード読取機、紙テープレコーダ、または他の周知の入力デバイスを含み得る。ネットワーク接続デバイス７６０は、モデム、モデムバンク、イーサネット（登録商標）カード、ユニバーサルシリアルバス（ＵＳＢ）インターフェースカード、シリアルインターフェース、トークンリングカード、光ファイバ分散データインターフェース（ＦＤＤＩ）カード、無線ローカルエリアネットワーク（ＷＬＡＮ）カード、符号分割多重アクセス（ＣＤＭＡ）等の無線送受信機カードおよび／または移動通信用グローバルシステム（ＧＳＭ）無線送受信機カード、および他の周知のネットワークデバイスの形態を成し得る。これらのネットワーク接続７６０デバイスは、プロセッサ７２０がインターネットまたは１つ以上のイントラネットと通信することを可能にし得る。そのようなネットワーク接続により、プロセッサ７２０がネットワークから情報を受信する場合があり、または、上記の方法のステップを行う経過中にネットワークに情報を出力する場合があることが想定される。しばしば、プロセッサ７２０を使用して実行される一連の命令として表される、そのような情報は、例えば、搬送波で具現化されたコンピュータデータ信号の形態で、ネットワークから受信され、ネットワークに出力され得る。
【００５８】
例えば、データまたはプロセッサ７２０を使用して実行される命令を含み得る、そのような情報は、例えば、コンピュータデータベースバンド信号または搬送波で具現化された信号の形態で、ネットワークから受信され、ネットワークに出力され得る。ネットワーク接続７６０デバイスによって生成される、ベースバンド信号または搬送波で具現化された信号は、導電体の中または導電体の表面上、同軸ケーブルの中、導波管の中、光媒体、例えば、光ファイバの中、または空気あるいは自由空間の中で伝播し得る。ベースバンド信号または搬送波に組み込まれた信号に含まれる情報は、情報を処理または生成するため、あるいは情報を伝送または受信するために望ましいように、異なる順序に従って順序付けられ得る。本明細書では伝送媒体と呼ばれる、ベースバンド信号または搬送波に組み込まれた信号、あるいは現在使用されているか、または以降で発生させられる他の種類の信号は、当業者に周知であるいくつかの方法に従って生成され得る。
【００５９】
プロセッサ７２０は、ハードディスク、フロッピー（登録商標）ディスク、光ディスク（これらの種々のディスクベースのシステムは、全て２次記憶部７５０と見なされ得る）、ＲＯＭ７４０、ＲＡＭ７３０、またはネットワーク接続デバイス７６０からアクセスする、命令、コード、コンピュータプログラム、スクリプトを実行する。１つだけのプロセッサ７２０が示されているが、複数のプロセッサが存在し得る。したがって、命令は、プロセッサによって実行されるものとして論議され得るが、命令は、同時に実行され、連続的に実行され、あるいは１つまたは複数のプロセッサによって実行され得る。
【００６０】
いくつかの実施形態が本開示で提供されているが、開示されたシステムおよび方法が、本開示の精神または範囲から逸脱することなく、多くの他の特定の形態で具現化され得ることを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【００６１】
また、個別または別個のものとして種々の実施形態において説明および例証される技法、システム、サブシステム、および方法を、本開示の範囲から逸脱することなく、他のシステム、モジュール、技法、または方法に組み入れるか、または一体化し得る。連結または直接連結され、あるいは相互に通信するものとして示される、または論議される他のアイテムは、電気的、機械的、またはその他の方法かどうかにかかわらず、いくつかのインターフェース、デバイス、または中間構成要素を通して、間接的に連結されるか、または通信し得る。変更、置換、および改変の他の例は、当業者により解明可能であり、本明細書で開示される精神および範囲から逸脱することなく行うことができる。
【図１】
2011520313.tif 000003
【図２】
2011520313.tif 000004
【図３】
2011520313.tif 000005
【図４】
2011520313.tif 000006
【図５】
2011520313.tif 000007
【図６】
2011520313.tif 000008
【図７】
2011520313.tif 000009
【図８】
2011520313.tif 000010
【図９】
2011520313.tif 000011
【図１０】
2011520313.tif 000012
【図１１】
2011520313.tif 000013
【図１２】
2011520313.tif 000014
【図１３】
2011520313.tif 000015
【国際調査報告】
2011520313.tif 000016
2011520313.tif 000017